(57)【特許請求の範囲】
【請求項１】
構造物の基盤上に設置されたバネユニットと、該バネユニットを囲むように設けられるとともに、該バネユニットにより弾性的に支持され、なおかつ、前記基盤上に位置するスラブと一体化されたハウジングとを備え、前記スラブを、前記バネユニットおよび前記ハウジングを介して前記基盤から支持させることにより、前記スラブおよび前記基盤間の振動の伝達を防止する防振支承を設置するための方法であって、
前記基盤に、ピンを、その少なくとも上端部が前記基盤から上方に突出するように配置し、
前記基盤上に、筒状に形成された前記防振支承のハウジングの内径寸法と略同一の寸法を有するとともに前記ピンが挿通可能な挿通孔を備えた型板を、該型板の前記挿通孔に前記ピンを挿通させた状態で嵌合させて配置して、
前記ハウジングを、前記型板が前記ハウジングの下端部の内方に位置して該下端部と嵌合するように、前記基盤上に配置することによって、該ハウジングの配置位置を前記ピンおよび前記型枠により位置決めし、
前記ハウジングの外方に、前記スラブを、前記ハウジングと一体化させて構築し、
前記型板を、前記ハウジングの内部から撤去し、
しかる後に、前記バネユニットを前記ハウジングの内方に配置して、該バネユニットを前記ピンの上端部に係合させるとともに、前記ハウジングを前記バネユニットにより支持させることを特徴とする防振支承の設置方法。
【発明の詳細な説明】
【０００１】
【発明の属する技術分野】
本発明は、構造物のスラブおよび当該構造物を支持する基盤の間に介装されて、これらの間の振動の伝達を防止する防振支承の設置方法に関するものである。
【０００２】
【従来の技術】
この種の防振支承としては、図６や図７に示すようなものが用いられている。
図６に示す防振支承１は、構造物の基盤Ｂの上面にアンカーボルト２，…により固定された下部フランジ３と、防振対象の床スラブＳの下面にアンカーボルト２，…により固定された上部フランジ４と、これら下部フランジ３と上部フランジ４との間に介装されて、床スラブＳの荷重を基盤Ｂ側に伝達するゴム支承５とを備えた構成とされている。
また、図７に示す防振支承７は、図６に示した防振支承１において、ゴム支承５の代わりに、多数のコイルバネ８，…を用いたものとなっている。
【０００３】
これらの防振支承１および７においては、地震時に支承の位置にずれが生じる等の懸念があることから、下部および上部フランジ３および４をアンカーボルト２，…で強固に固定することが必要となり、さらに、下部、上部フランジ３，４のアンカーボルト２，…への締結作業および点検作業を行うために、基盤Ｂと床スラブＳとの間にスペースを空けておかなければならず、これらのことが、防振支承１，７を実際の構造物に導入する上でのコストアップ要因およびスペース上の制約となっていた。
【０００４】
これに対し、地震の心配の少ない外国等においては、図８に示すような防振支承１０が用いられている。
この防振支承１０は、基盤Ｂ側に固定されたバネユニット１１と、バネユニット１１を囲むように設けられた円筒状のハウジング１２とからなる概略構成とされている。バネユニット１１は、基盤Ｂの上面に配置された下部フランジ１３、下部フランジ１３の上面に固定されたバネ１４、および、バネ１４の上端１４ａに固定されて下部フランジ１３からバネ１４を介して弾性的に支持された上部フランジ１５を備えた構成となっている。
【０００５】
一方、ハウジング１２は、床スラブＳに埋設されるとともに、バネユニット１１の上部フランジ１５に固定された構成となっており、これにより床スラブＳの荷重が、ハウジング１２およびバネユニット１１を介して基盤Ｂに伝達されるようになっている。
【０００６】
この場合、バネユニット１１の下部フランジ１３の下面と基盤Ｂの上面とは、機械的に固定されることはなく、単にバネユニット１１が基盤Ｂの上面に載置されるのみとされるか、あるいは、粘着パッド等を用いて簡易に固定されるのみとされている。
【０００７】
この防振支承１０を設置するにあたっては、床スラブＢを、あらかじめハウジング１２を埋め込んだ状態で構築し、床スラブＢの構築終了後に、ハウジング１２内にバネユニット１１を落とし込んで配置するようにすることができる。これにより、図６，７に示した防振支承１，７とは異なり、設置時に、床スラブＢをジャッキアップしておく必要や、アンカーボルトの締結作業の必要が無くなり、施工の容易化および低コスト化を図ることができる。
【０００８】
【発明が解決しようとする課題】
しかしながら、上述のような利点を有する防振支承１０を、我が国のような地震国に導入しようとする場合、地震により、バネユニット１１と基盤Ｂとの相対位置が水平方向にずれてしまう懸念があるために、図９に示す防振支承１０’のように、下部フランジ１３をアンカーボルト１７，…を用いて、基盤Ｂに固定する必要があった。
また、この場合、アンカーボルト１７，…の設置スペースを確保するために、ハウジング１２’を図８のハウジング１２に比較して大型化する必要が生じるとともに、基盤Ｂと床スラブＳとの間にもスペースを空けなければならず、このことが、防振支承１０の導入に際してのスペース上の問題となっていた。
【０００９】
本発明は、上記事情に鑑みなされたものであり、防振支承自体の小型化および構造物全体の省スペースを図ることができ、なおかつ、施工が容易であるような防振支承の設置方法を提供することを課題とする。
【００１４】
【課題を解決するための手段】
請求項１記載の防振支承の設置方法は、構造物の基盤上に設置されたバネユニットと、該バネユニットを囲むように設けられるとともに、該バネユニットにより弾性的に支持され、なおかつ、前記基盤上に位置するスラブと一体化されたハウジングとを備え、前記スラブを、前記バネユニットおよび前記ハウジングを介して前記基盤から支持させることにより、前記スラブおよび前記基盤間の振動の伝達を防止する防振支承を設置するための方法であって、前記基盤に、ピンを、その少なくとも上端部が前記基盤から上方に突出するように配置し、前記基盤上に、筒状に形成された前記防振支承のハウジングの内径寸法と略同一の寸法を有するとともに前記ピンが挿通可能な挿通孔を備えた型板を、該型板の前記挿通孔に前記ピンを挿通させた状態で嵌合させて配置して、前記ハウジングを、前記型板が前記ハウジングの下端部の内方に位置して該下端部と嵌合するように、前記基盤上に配置することによって、該ハウジングの配置位置を前記ピンおよび前記型枠により位置決めし、前記ハウジングの外方に、前記スラブを、前記ハウジングと一体化させて構築し、前記型板を、前記ハウジングの内部から撤去し、しかる後に、前記バネユニットを前記ハウジングの内方に配置して、該バネユニットを前記ピンの上端部に係合させるとともに、前記ハウジングを前記バネユニットにより支持させることを特徴としている。
【００１５】
この防振支承の設置方法においては、スラブ構築の際に、型板をハウジングの位置決めに用いることができる。
【００１６】
【発明の実施の形態】
以下、本発明の防振支承の設置方法の実施の形態を、図面に基づいて説明する。なお、この実施の形態の設置方法により設置される防振支承の主要な構成は、図８、図９に示した防振支承１０，１０’と同一であるために、ここでは、これらとの相違点を中心に述べるとともに、図８および図９中の構成と同一の構成については、同符号を付し、説明を省略する。
【００１７】
まず、本発明の一実施の形態である設置方法により設置される防振支承１８について説明する。図２は、その防振支承１８が適用された鉄道構造物１９の概略構成を示す図である。この鉄道構造物１９は、基盤Ｂと、基盤Ｂ上に設けられるとともに軌道２０が敷設された床スラブＳとを備えた構成となっており、防振支承１８は、基盤Ｂと床スラブＳとの間に設置されて、床スラブＳの荷重を基盤Ｂ側に伝達するとともに、床スラブＳからの振動が基盤Ｂ側に伝達することを防止する役割を果たす。
【００１８】
図１は、このような防振支承１８の構成の詳細を示す図である。この防振支承１８は、基盤Ｂ上に配置されたバネユニット２２と、バネユニット２２を囲むように設けられたハウジング１２とを備えた概略構成となっている。
【００１９】
これらのうち、バネユニット２２は、その下部フランジ２３に挿入孔（フランジ係合部）２４が設けられた構成となっている。一方、基盤Ｂには、ピン（基盤係合部）２５が配置されている。ピン２５は、基盤Ｂに下端部２５ａが固定され上端部２５ｂが基盤Ｂ上に突出状態に配置された状態となっており、なおかつ、上端部２５ｂが、挿入孔２４に挿入された構成となっている。
【００２０】
この場合、ピン２５は、挿入孔２４に挿入されるのみの構成とされるために、これらピン２５および挿入孔２４は、バネユニット２２の基盤Ｂに対する鉛直方向の相対変位を許容するとともに、水平方向の相対変位を規制するようになっている。
【００２１】
次に、防振支承１８の設置方法（本発明の実施の形態）について説明する。防振支承１８を設置するには、まず、図３に示すように、基盤Ｂにピン２５を設置するとともに、ピン２５の上方から型板２６を配置する。ここに、型板２６は、平面視した場合の径寸法がハウジング１２の内径寸法と略同一形状とされており、ハウジング１２の下端部１２ａ（図１参照）の内方に嵌合可能に形成されている。また、型板２６は、挿通孔２７を備えた構成となっており、ここでは、この挿通孔２７にピン２５を嵌合させるようにする。
【００２２】
次に、図４に示すように、基盤Ｂ上の型板２６の設置位置にハウジング１２を上方から配置して、その下端部１２ａを型板２６に嵌合させる。さらに、図３に示すように、ハウジング１２の外方にコンクリートＣを打設して、床スラブＳをハウジング１２と一体化させて構築し、その後に、図５のように、型板２６をハウジング１２の内部から撤去する。
【００２３】
そして、バネユニット２２（図１参照）を、ハウジング１２の内部に落とし込んで配置する。この場合、ピン２５の上端部２５ｂを挿入孔２４（図１参照）に挿入させることにより、バネユニット２２（図１参照）を基盤Ｂ上に載置するようにする。さらに、ジャッキ等の手段を用いて、バネユニット２２（図１参照）を下方に圧縮するとともに、ハウジング１２の内部に設けられた突出部２８と上部フランジ１５（図１参照）とを係合させることにより、図１に示したような状態を得る。
【００２４】
上述の防振支承１８においては、基盤Ｂに固定されたピン（基盤係合部）２５およびバネユニット２２の下部フランジ２３に設けられた挿入孔２４（フランジ係合部）により、基盤Ｂに対するバネユニット２２の水平方向の相対変位を規制するとともに、鉛直方向の相対変位を許容するようにしたので、バネユニット２２を設置するにあたって、アンカーボルト等による固定が必要でなく、ハウジング１２の内部にバネユニット２２を上方から落とし込むだけで簡単に設置できることから、設置作業の容易化を図ることができる。また、従来と比べた場合、アンカーボルトの設置スペースを省略することができるため、防振支承１８の小型化を図るとともに、鉄道構造物１９における省スペース化を実施することができる。さらに、この防振支承１８においては、バネ１４の劣化、破損あるいはバネ特性の変更など、バネユニット２２を交換する必要が生じた際にも、スラブＳをジャッキアップしたり壊したりすることなく、容易に交換作業を行うことができる。
【００２５】
また、この場合、ピン２５と挿入孔２４とからなる簡易な構成で、バネユニット２２と基盤Ｂとの水平方向の相対変位を規制するようにしたために、容易かつ低コストに防振支承１８の設置を行うことができる。
【００２６】
また、上述の防振支承１８の設置方法によれば、ピン２５の位置により、型板２６の位置が決定され、さらに、型板２６によりハウジング１２の位置が決定されることとなるために、床スラブＳ構築の際のハウジングの位置調整を容易に行うことができる。さらに、バネユニット２２の設置の際には、ピン２５が挿入孔２４に挿入されるようにバネユニット２２をハウジング１２内に落とし込めばよいので、施工性がよく、工期短縮およびコストダウンに貢献することが可能となる。
【００２９】
【発明の効果】
以上説明したように、請求項１に係る防振支承の設置方法によれば、ピンの位置により、型板の位置が決定され、さらに、型板によりハウジングの位置が決定されることとなるために、床スラブ構築の際のハウジングの位置調整を容易に行うことができる。さらに、バネユニットの設置の際には、ピンが挿入孔に挿入されるようにバネユニットをハウジング内に落とし込めばよいので、施工性がよく、工期短縮およびコストダウンに貢献することが可能となる。
【図面の簡単な説明】
【図１】 本発明の一実施の形態である設置方法により設置される防振支承を模式的に示す立断面図である。
【図２】 図１に示した防振支承が適用された鉄道構造物を示す図であって、（ａ）は、その平面図、（ｂ）は、立断面図である。
【図３】 本発明の一実施の形態である設置方法を示すもので、図１に示した防振支承を設置する際の一工程を示す立断面図である。
【図４】 同、図３の次工程を示す立断面図である。
【図５】 同、図４の次工程を示す立断面図である。
【図６】 本発明の従来の技術を示す防振支承の立断面図である。
【図７】 同、他の例を示す立断面図である。
【図８】 同、さらに他の例を示す立断面図である。
【図９】 同、さらに他の例を示す立断面図である。
【符号の説明】
Ｂ  基盤
Ｓ  床スラブ
１２  ハウジング
１４  バネ
１５  上部フランジ
１８  防振支承
１９  鉄道構造物
２２  バネユニット
２３  下部フランジ
２４  挿入孔（フランジ係合部）
２５  ピン（基盤係合部）
２５ａ  下端部
２５ｂ  上端部
２６  型板
２７  挿通孔
【図１】
0004106787.tif 000002
【図２】
0004106787.tif 000003
【図３】
0004106787.tif 000004
【図４】
0004106787.tif 000005
【図５】
0004106787.tif 000006
【図６】
0004106787.tif 000007
【図７】
0004106787.tif 000008
【図８】
0004106787.tif 000009
【図９】
0004106787.tif 000010